(57)【特許請求の範囲】
【請求項１】
カップ部の前中心側周縁を始端とし、バストトップと対応させるカップ部のトップと該カップ部の最下点を結ぶ直線の間を通った後にカップ部の脇側縁に至る部位にテープ状部を設けてパワーアップ部分とし、該テープ状部は前記直線を横断する中央部の上端縁と下端縁を結ぶ寸法より脇側縁の終端の上端縁と下端縁を結ぶ寸法を大とし、該終端の下端縁は前記カップ部の脇側下縁に位置すると共に上端縁はストラップ連結位置に位置し、前記テープ状部の前記中央部は、前記トップと最下点の間の２／３より上方部分に位置していることを特徴とするカップ部を有する衣類。
【請求項２】
前記テープ状部は、
前記カップ部の外面、内面または外面と内面の間の中間に取り付けるテープ部材、
または、前記カップ部と一体的に設けたパワーアップ部分からなる請求項１に記載のカップ部を有する衣類。
【請求項３】
前記テープ状部は前記前中心側周縁の始端から前記中央部を経て脇側縁の終端に至る長さ方向において、前記中央部から脇側縁にかけて上下に分離するＹ形状、前記中央部を交点として前記始端及び終端に向けてそれぞれ上下に分離するＸ形状、前記中央部を最小幅として少なくとも前記終端に向けて上下に幅が広がる形状のいずれかとしている請求項１または請求項２に記載のカップ部を有する衣類。
【請求項４】
前記Ｙ形状またはＸ形状に配置するテープ状部は第１テープと第２テープからなる２本のテープ部材で形成し、
前記Ｙ形状では前中心側周縁の始端から前記分離する位置まで前記２本のテープを密接して並列配置し、分離位置から下側の第１テープの終端は前記カップ部の脇側下縁に位置させ、上側の第２テープはストラップと接して位置させ、
前記Ｘ形状では、前中心側周縁で第１テープと第２テープを隙間をあけて上下に分離して位置させている請求項３に記載のカップ部を有する衣類。
【請求項５】
前記Ｙ形状またはＸ形状とする場合に用いる第１テープと第２テープの幅は１ｃｍ〜３ｃｍの範囲とし、かつ、第１テープの幅は第２テープの幅以上としている請求項４に記載のカップ部を有する衣類。
【請求項６】
前記カップ部の周縁にワイヤーを装着しているワイヤー付きブラジャーまたは、ワイヤー無しブラジャーからなる請求項１乃至請求項５のいずれか１項に記載のカップ部を有する衣類。
【発明の詳細な説明】
【技術分野】
【０００１】
本発明はカップ部を有する衣類に関し、ブラジャー等においてバスト上部のボリュームアップを図るものである。
【背景技術】
【０００２】
加齢等によりバストの上部の肉が削げると共にバストの重みでバストが下垂しやすくなる。この現象をブラジャーの着用により、ブラジャーのカップ部でバストの形状を補整し、バストの造形美を構築できるようにしている。例えば、ブラジャーのカップ部の周縁に沿ってワイヤーを配置し、ワイヤーでバストの下垂を抑制している。
また、バストのボリュームアップを図る手段としてカップ部の内部にパッドを収容したパッド入りブラジャーが提供されている。しかしながら、該パッド入りブラジャーにおいても、運動時の着崩れでパッドとバストとのフィット性が悪くなり、造形効果が低減する場合が多い。
【０００３】
本出願人は、特開２００５−２８１９２０号公報で、図７に示すように、バストを覆うカップ本体１００の内面あるいは外面に弾性を有する分離カップ部１０１を設け、該分離カップ部１０１をバストトップとカップ部の下辺との間の中間領域に通して脇側へと斜めに配置し、脇側上端を肩紐１０５に連結した構成としたブラジャーを提供している。
【０００４】
前記特許文献１のカップ部を有する衣類では、強パワー弾性体からなる分離カップ部１０１でバスト下部を押さえ、肩紐と連結していることで、特にバストを脇側から中央部に寄せると共にバストを引き上げることで、バスト上部のボリュームを増加させる機能を有するものとしている。
【先行技術文献】
【特許文献】
【０００５】
【特許文献１】特開２００５−２８１９２０号公報
【発明の概要】
【発明が解決しようとする課題】
【０００６】
前記特許文献１のカップ部を有する衣類では、分離カップ部１０１によりバストを寄せて上げる機能を高めているが、ワイヤーで位置決め保持されるカップ部の周縁位置が不安定になりやすい問題がある。すなわち、ブラジャー着用時に、バストの圧力に押されてワイヤーが左右横広がりになりやすく、バストの肉が脇側へ流れるのを効果的に抑止できない。この問題はワイヤー無しとした場合も同様であり、カップ部の形状保持力が弱く、かつ、着用時にバックが背面側の横方向に引く力でカップ部が左右横広がりとなりやすい。
また、特許文献１では、ワイヤーを取り付けるカップ部の下辺より僅かな寸法をあけた上方位置に比較的幅広の強パワー弾性体からなる分離カップ部１０１を位置させているため、カップ部の下辺のワイヤーによる位置決め力が相対的に弱まってカップ部の下辺が安定しにくくなる。さらに、分離カップ部１０１はストラップの引き上げにのみ頼っているため、ストラップの引上力を強くするとカップ部の下辺がずり上がりやすい問題もある。
【０００７】
本発明は前記問題を鑑みてなされたもので、特に、バスト上部の肉が削げると共にバストの重量によりバストが下方に撓んだ形状になりやすい女性に好適に着用され、カップ部の周縁の安定性を図り、着用時にバストの圧力や重みでカップ部が左右横広がりになるのを抑制し、左右バストの谷間をくっきりと現出できるカップ部を有する衣類を提供することを課題としている。
【課題を解決するための手段】
【０００８】
前記課題を解決するため、本発明は、カップ部の前中心側周縁を始端とし、バストトップと対応させるカップ部のトップと該カップ部の最下点を結ぶ直線の間を通った後にカップ部の脇側縁に至る部位にテープ状部を設けてパワーアップ部分とし、該テープ状部は前記直線を横断する中央部の上端縁と下端縁を結ぶ寸法より脇側縁の終端の上端縁と下端縁を結ぶ寸法を大とし、該終端の下端縁は前記カップ部の脇側下縁に位置すると共に上端縁はストラップ連結位置に位置し、前記テープ状部の前記中央部は、前記トップと最下点の間の２／３より上方部分に位置していることを特徴とするカップ部を有する衣類を提供している。
【０００９】
前記テープ状部は、
前記カップ部の外面、内面または外面と内面の間の中間に取り付けるテープ部材、
または、前記カップ部と一体的に設けたパワーアップ部分からなる。
【００１０】
前記のようにテープ状部の始端をカップ部の前中心側に位置させると共に該テープ状部の終端の下部をカップ部の脇側下縁に位置させ、カップ部の左右長さ方向の両端をテープ状部でつなぐ構成とすると、着用時にカップ部が左右横広がりにならないようにテープ状部で保持できる。
かつ、テープ状部の脇側の終端の上部をストラップ連結位置に位置させることで、肩紐による引き上げ力をテープ状部を介してカップ部に作用させ、バストを引き上げる機能を持たせることができる。
さらに、テープ状部をバストトップの下部で左右横方向に横断させて取り付けることで、バスト下部の肉を肌側へと押さえ、該バスト下部の肉が下方に撓んで垂れ下がるのを抑制する。
【００１１】
本発明のカップ部を有する衣類では、前記カップ部の周縁にワイヤーを装着しても良いし、ワイヤー無しとしてもよい。
ワイヤー付きの場合は、該ワイヤーの前中心側と脇側を前記テープ状部でつなぐ構成となり、着用時にワイヤーとテープ状部の両方でカップ部の左右横広がりを抑制できる。かつ、ワイヤーによるバストを寄せて上げる機能を前記テープ状部で助勢すると共に、ストラップからの引き上げ力をテープ状部に伝え、該テープ状部に引き上げる機能を持たせることができる。さらに、テープ状部をバストのトップ下に横断的に配置してバスト下部が下方へ撓むのを抑制することで、バストトップを高く保持し、バストを上部に押し上げることができる。これにより、削げたバスト上部のボリュームアップを図り、左右のバストの谷間をくっきりとしてバストの造形美を現出させることができる。
また、ノンワイヤーの場合においても、着用時にバック（背面部）がカップ部を横方向に引いて、カップ部が広がってしまうのをテープ状部で抑制できる。
【００１２】
前記ワイヤーは筒状材に封入し、筒状材とテープ部材とを重ねてカップ部と土台部の境界に縫着し、該ワイヤーを封入した筒状材に前記テープ部材の両端を縫着することが好ましい。該構成とすると、テープ部材によるワイヤーの位置保持機能を高めることができる。
【００１３】
前記直線部を横断するテープ状部の中央部は、前記トップと最下点の間の２／３地点より上方部分に位置させている。
着用時にワイヤーをバストの周縁に安定して位置決めさせるため、前記のようにテープ状部とワイヤーとの間の寸法を十分にあけ、テープ状部による引上力がカップ部の最下点近傍のワイヤーに作用しないようにしている。
【００１４】
前記テープ状部はカップ部の前中心側の始端から前記中央部を経て脇側縁の終端に至る長さ方向において、前記中央部から脇側縁にかけて上下に分離するＹ形状、前記中央部を交点として前記始端及び終端に向けてそれぞれ上下に分離するＸ形状、前記中央部を最小幅として少なくとも前記終端に向けて上下に幅が広がる形状のいずれかとしている。
ワイヤーを装着している場合、テープ状部の脇側縁の終端の下部はワイヤー脇側端の内面に位置させている。
【００１５】
前記Ｙ形状またはＸ形状に配置するテープ状部は第１テープと第２テープからなる２本のテープ部材で形成し、
前記Ｙ形状では前中心側周縁の始端から前記分離する位置まで前記２本のテープを密接して並列配置し、分離位置から下側の第１テープの終端は前記カップ部の脇側下縁に位置させ、上側の第２テープはストラップと接して位置させ、
前記Ｘ形状では、前中心側周縁で第１テープと第２テープを隙間をあけて上下に分離して位置させている。
【００１６】
テープ状部を前記いずれの形状としても、カップ部のトップを通過する水平線に対して、テープ状部の前中心側始端は下方に位置させていることが好ましい。
【００１７】
前記Ｙ形状またはＸ形状とする場合に用いる第１テープと第２テープの幅は１ｃｍ〜３ｃｍの範囲とし、かつ、第１テープの幅は第２テープの幅以上としていることが好ましい。
前記第１、第２テープの素材としては、ナイロン、ポリエステル等の弾性糸で編成した織テープ部材または編テープ部材、布、接着樹脂、樹脂テープが挙げられる。かつ、前記第１、第２テープをモールド成形または編組織を変えて設け、伸縮力をカップ部のみからなる部分よりパワーアップして押さえる力を高めている。さらにモールド成形時にテープ部材を内部に挿入してモールドしてもよい。
【００１８】
本発明のカップ部を有する衣類は、ブラジャーとして最も好適に用いられるが、ブラスリップ、ボディスーツ、ブラキャミソール等のカップ付き下着の他、水着、レオタード等にも適用できる。
【発明の効果】
【００１９】
前記のように、本発明では、パワーアップ部分とするテープ状部を、その両端をカップ部の前中央部側と脇側とに位置するように左右長さ方向に横断して設けているため、着用時にカップ部が左右横広がりになるのをテープ状部でくい止めることができる。かつ、テープ状部にストラップからの引き上げ力を作用させてバストトップより下部をテープ状部で押し上げることができる。さらに、バスト下部をテープ状部で肌側に押圧してバスト下部の下垂を抑制できる。これらの相乗作用によってバストトップ位置を高くし、バスト上部に肉を押し上げてボリュームアップを図り、左右のバストの谷間をくっきりとさせることができる。
【図面の簡単な説明】
【００２０】
【図１】本発明の第１実施形態のブラジャーの斜視図である。
【図２】（Ａ）は第１実施形態のブラジャーの要部拡大図、（Ｂ）は筒状材に封入したワイヤーの断面図である。
【図３】第２実施形態のブラジャーの斜視図である。
【図４】第３実施形態のブラジャーの斜視図である。
【図５】第４実施形態のブラジャーの概略図である。
【図６】第５実施形態のブラジャーの断面図である。
【図７】従来例を示す図面である。
【発明を実施するための形態】
【００２１】
以下、本発明のカップ部を有する衣類の実施形態を図面を参照して説明する。
図１および図２に第１実施形態のブラジャーを示す。
該ブラジャーはワイヤー付きとし、かつ、パワーアップ部分を形成するテープ状部として第１テープと第２テープからなる２本のテープ部材をカップ部に縫着している。
【００２２】
ブラジャー１は左右のカップ部２、土台部３、左右のバック部４、左右の肩紐（ストラップ）５を縫着して一体化している。かつ、カップ部２の下側周縁のバージスラインに沿った位置に筒状材７に封入したワイヤー６を配置し、筒状材７をカップ部２と土台部３との境界に縫着している。ワイヤー６の一端６ａは土台部３の前中央上端と接合するカップ部２の前中心周縁２ａの上端に位置させ、他端６ｂは土台部３の脇側上端と接合するカップ部２の脇側周縁２ｂの下端に位置させている。
【００２３】
カップ部２はバストを覆う本体材１０の外面に、第１テープ１２と第２テープ１３とからなるテープ部材１１をカップ部２の前中央から脇側へ横断するように縫着している。
本体材１０は外側布、内側布、中間布からなるもの、外側布と内側布からなるもの、一枚布からなるもの、内側布の肌側面にパッドを一体または着脱自在に備えるもの等があり、カップ部２自体の構成は限定されない。また、テープ部材１１は本体材１０の肌側内面に取り付けても良いし、中間に配置してもよい。
【００２４】
前記テープ部材１１は、ナイロン製の布テープからなる第１テープ１２と第２テープ１３の２本のテープから構成し、本体材１０のみからなる部分とくらべて押さえる力を強めている。本実施形態では、第１テープ１２の幅Ｗ１は２０ｍｍ、第２テープ１３の幅Ｗ２は１０ｍｍとしている。なお、第１テープ１２と第２テープ１３は同一幅としてもよい。
【００２５】
前記２本の第１テープ１２と第２テープ１３は横向きＹ形状に配置している。すなわち、カップ部２の前中心周縁２ａに接する始端では、第１テープ１２を下縁に、第２テープ１３を上縁に密接させて配置し、見掛け上、太幅の１本のテープ部材１１が配置されたようにしている。このように上下に密接させた平行状態で、カップ部２のトップ２ｐとカップ部２の最下点２ｕを結ぶ直線Ｓ上において、トップ２ｐと最下点の間の２／３の地点Ｄまでの範囲を通過させている。前記直線Ｓの通過位置からカップ部の脇側周縁２ｂに達する位置までの間に分離位置２ｃを設け、該分離位置２ｃから第１テープ１２と第２テープ１３とを上下に分離している。第２テープ１３を上向きに傾斜させ、肩紐５と縫着する脇側周縁２ｂの上端に第２テープ１３の終端を位置させている。一方、第１テープ１２はワイヤー６の他端６ｂが位置する脇側周縁２ｂの下端に位置させている。なお、第１テープ１２の終端はワイヤー６の脇側端に近接して位置させてもよい。
【００２６】
第１テープ１２の下縁と第２テープ１３の上縁の間の寸法は、始端から分離位置２ｃまで同一幅の約３０ｍｍとしている。
また、脇側縁において、第１テープ１２の下端から第２テープ１３の上端の間の寸法は約３０ｍｍより大きくなっている。
【００２７】
前記第１テープ１２の始端と終端は、ワイヤー６を封入した筒状材７に縫着している。第２テープ１３の始端もワイヤー６を封入した筒状材７に縫着している。
【００２８】
前記形状としたブラジャー１は第１テープ１２と第２テープ１３の始端をワイヤー６の前中心側の一端側に位置させてワイヤー６を封入する筒状材７と縫着し、第１テープ１２の脇側終端をワイヤー６の他端脇側に位置させ、筒状材７と縫着している。このように、カップ部の下部を左右横方向に横断させていることで、着用時にワイヤー６がバストの圧力で左右に広がったり下方へ撓む変形を、第１テープ１２と第２テープ１３とからなるテープ部材１１の横方向への引っ張り力で抑制できる。また、ワイヤー６がバストの重みや圧力に負けて変形したり位置ずれするのをテープ部材１１で抑制できるため、ワイヤー６のバストを寄せて上げる機能を発揮させることができる。
【００２９】
さらに、カップ部２の最下点２ｕの近傍ではテープ部材１１とワイヤー６との距離を十分にあけているため、カップ部の下端部分でワイヤー６が上方へ移動して位置ずれが発生するのを防止でき、カップ部２のバージスラインをワイヤー６で安定させることができる。
【００３０】
さらに、第２テープ１３の脇側終端は肩紐５に接して配置させるため、肩紐による引き上げ力が第２テープ１３に伝えられ、バストのトップ下を上方へと引き上げることができる。さらに、第１テープ１２は最も膨出すると共に重みにより下方へ撓みやすいバスト下部を横断するため、バスト下部を肌側へと押して下方への撓みを抑制できる。
【００３１】
図３に第２実施形態のブラジャーを示す。
第２実施形態のブラジャーもワイヤー付きで、かつ、テープ状部は第１テープ１２と第２テープ１３の２本のテープからなるテープ部材１１で形成している。
第１テープ１２をカップ部の前中心側で下向きに屈曲させてＸ形状としている点が、第１実施形態と相違する。即ち、第１テープ１２と第２テープ１３とは中央部から左右両側とも分離させ、前中心側の始端も上下に隙間をあけている。第１テープ１２と第２テープ１３とは同一幅としている。  
前中心側を上下に隙間をあけてＸ形状としても、上側の第２テープ１３はカップ部周縁の前中心側上部に位置させ、下側の第１テープ１２は隙間をあけて前中心の下方に位置させている。第１、第２テープ１２、１３の始端はワイヤー６を封入した筒状材と縫着している。
テープ部材１１をＸ形状とすると、中央部の幅が最小となり、始端および終端で上下幅が広がる。
他の構成および作用効果は第１実施形態と同様であるため、同一符号を付して説明を省略する。
【００３２】
図４に第３実施形態のブラジャーを示す。
前記第２実施形態のＸ形状では第１、第２テープ１２、１３を用いてＸ形状としているのに対して、第３実施形態では、外形は第２実施形態と同様とした１枚のテープ部材３１から形成している。該テープ部材３１は中央部を最小幅として始端及び終端に向けてそれぞれ上下に幅が広がる形状としている。
他の構成および作用効果は第１実施形態と同様であるため、同一符号を付して説明を省略する。
【００３３】
図５に第４実施形態のブラジャーを示す。
該ブラジャーはカップ部２０を発泡ウレタンなどの弾性樹脂材を金型内でモールド成形して形成している。該カップ部２０の成形時に、第１実施形態の第１、第２テープ１２、１３からなるテープ部材１１の配置位置と同一位置にテープ状部２１を一体的に成形してパワーアップ部分を設けている。該パワーアップ部分となるテープ状部２１となる部分は、モールド成形時に圧縮率を高くして設けている。該ブラジャーはワイヤーを取り付けないノンワイヤーのブラジャーとしている。
なお、第１実施形態と同様の構成部分は同一符号を付して説明を省略する。
前記のように、カップ部２０をモールド成形したブラジャーにおいて、該カップ部にパワーアップとしたテープ状部２１を設けているため、第１実施形態と同様の作用効果を有するものとなる。
【００３４】
図６の断面図に第５実施形態のブラジャーを示す。
該ブラジャーは第４実施形態のブラジャーと同様に、カップ部２０は弾性樹脂材を金型内でモールド成形し、かつ、該モールド時に別体のテープ状部材２５を埋め込んで、パワーアップ部分を設けている。
【００３５】
図示していないが、第６実施形態のブラジャーは編地で形成している。
該第６実施形態のブラジャーは図５に示す第４実施形態のブラジャーと形状的には同様であるため図示を省略する。
該第６実施形態のブラジャーの編地からなるカップ部は編成時に第１実施形態のテープ部材１１の配置位置と同一位置の編み密度を編み組織を変えてパワーアップ部分としたテープ状部を設けている。該ブラジャーもワイヤーを取り付けないノンワイヤーのブラジャーとしている。
該第６実施形態のブラジャーも、カップ部にパワーアップ部分とするテープ状部を設けているため、第１実施形態と同様の作用効果を有するものとなる。
【００３６】
前記第１〜第６実施形態はブラジャーからなるが、パワーアップ部分のテープ状部を備えたカップ部を有するボディスーツ、ブラスリップ等の下着、さらに水着やレオタード等としてもよい。
【符号の説明】
【００３７】
１  ブラジャー
２  カップ部
２ａ  前中心周縁
２ｂ  脇側周縁
２ｃ  分離位置
２ｐ  トップ
２ｕ  最下点
３  土台部
４  バック部
５  肩紐（ストラップ）
６  ワイヤー
６ａ  一端
６ｂ  他端
７  筒状材
１０  本体材
１１  テープ部材
１２  第１テープ
１３  第２テープ
【図１】
0005919702.tif 000002
【図２】
0005919702.tif 000003
【図３】
0005919702.tif 000004
【図４】
0005919702.tif 000005
【図５】
0005919702.tif 000006
【図６】
0005919702.tif 000007
【図７】
0005919702.tif 000008